(57)【特許請求の範囲】
【請求項１】
グループ通話を管理するサーバであって、
前記グループ通話に対して通話データを送信する権限である送信権を割り当てていない移動局からメッセージを受信する受信部と、
前記受信部によって受信された前記メッセージを記憶する記憶部と、
前記メッセージを送信した移動局に代わって前記送信権を取得して、前記記憶部に記憶された前記メッセージを前記グループ通話に対して送信する送信部とを備えることを特徴とするサーバ。
【請求項２】
前記送信部は、前記メッセージを前記記憶部に記憶している途中であっても、前記記憶部に既に記憶されたデータから順に前記メッセージを送信することを特徴とする請求項１に記載のサーバ。
【請求項３】
前記記憶部に符号化して記憶された前記メッセージを復号する再生部をさらに備え、
前記送信部は、前記再生部によって復号された前記メッセージを送信することを特徴とする請求項１に記載のサーバ。
【発明の詳細な説明】
【技術分野】
【０００１】
本発明は、複数の移動局を含むグループ内で通話データが送受信され、通話データを送信する権限である送信権がグループ内に含まれる移動局に割り当てられるグループ通話を管理するサーバに関する。
【背景技術】
【０００２】
従来、複数の移動局を含むグループ内で音声信号などの通話データが送受信されるグループ通話（例えば、ＰＴＴ；Ｐｕｓｈ−Ｔｏ−Ｔａｌｋ）が一般的に広く知られている。
【０００３】
このようなグループ通話では、音声信号などの通話データを送信する権限（以下、送信権）がグループに含まれる一の移動局に割り当てられ、グループに含まれる他の移動局は、送信権を有する一の移動局によって送信される通話データを受信する。
【０００４】
なお、通話データを送信可能な時間を十分に与え、かつ、通話データを送信する機会を平等に配分するという観点から、上述したグループ通話では、送信権が有効化される時間は、発言制限時間（例えば、３０秒）内に限られている。
【０００５】
また、グループ通話が行われる通信システムは、例えば、ＳＩＰ（Ｓｅｓｓｉｏｎ  Ｉｎｉｔｉａｔｉｏｎ  Ｐｒｏｔｏｃｏｌ）が用いられるパケット交換ＮＷ（ネットワーク）によって構成されており、グループ通話サーバによって管理される（例えば、非特許文献１）。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【０００６】
しかしながら、移動局（ユーザ）がグループ通話から離脱しようとする際に、グループに含まれる他の移動局に対してグループ通話から離脱する旨などの発言（メッセージ）を送信しようとする場合には、当該ユーザは、自局に送信権が割り当てられるまで待たなければならない。
【０００７】
具体的には、ユーザは、他のユーザに割り当てられた送信権について発言制限時間が経過するまで待たなければならない。また、ユーザは、発言制限時間が経過しても、さらに他のユーザに送信権が割り当てられた場合には、さらに待たなければならない。
【０００８】
一方で、グループ通話を行っている最中に、ユーザが電車に乗車する場合や会議を開始するような場合には、移動局（ユーザ）はグループ通話からすぐに離脱したい。このような場合に、自局に送信権が割り当てられるまで待たなければならないので、ユーザの利便性が低下する。
【０００９】
そこで、本発明は、上述した課題を解決するためになされたものであり、グループ通話から離脱する旨などのメッセージを伝えることを容易とするとともに、ユーザの利便性を向上することを可能とするサーバを提供することを目的とする。
【課題を解決するための手段】
【００１０】
本発明の一の特徴は、グループ通話を管理するサーバ（グループ通話サーバ２００）が、前記グループ通話に対して通話データを送信する権限である送信権を割り当てていない移動局からメッセージを受信する受信部（送受信部（移動局側）２１０）と、前記受信部によって受信された前記メッセージを記憶する記憶部（離脱メッセージ保持ＤＢ２４０）と、前記メッセージを送信した移動局に代わって前記送信権を取得して、前記記憶部に記憶された前記メッセージを前記グループ通話に対して送信する送信部（送信権取得部２５０、グループ通話処理部２３０、送受信部（移動局側）２１０）とを備えることを要旨とする。
【００１１】
かかる特徴によれば、記憶部が、送信権が割り当てられていない移動局から受信したメッセージを記憶するとともに、送信部が、メッセージを送信した移動局に代わって送信権を取得して、記憶部に記憶されたメッセージをグループ通話に対して送信する。すなわち、メッセージを送信した移動局のユーザは、送信権を取得しなくてもグループ通話に参加する他のユーザにメッセージを伝えることができ、メッセージを送信した後に直ちにアプリケーションを終了することができる。
【００１２】
従って、グループ通話から離脱する旨などのメッセージを伝えることを容易とするとともに、ユーザの利便性を向上することができる。
【００１３】
本発明の一の特徴は、本発明の上述した特徴において、前記送信部が、前記メッセージを前記記憶部に記憶している途中であっても、前記記憶部に既に記憶されたデータから順に前記メッセージを送信することを要旨とする。
【００１４】
本発明の一の特徴は、本発明の上述した特徴において、前記記憶部に符号化して記憶された前記メッセージを復号する再生部（グループ通話処理部２３０）をサーバがさらに備え、前記送信部が、前記再生部によって復号された前記メッセージを送信することを要旨とする。
【発明の効果】
【００１５】
本発明によれば、グループ通話から離脱する旨などのメッセージを伝えることを容易とするとともに、ユーザの利便性を向上することを可能とするサーバを提供することができる。
【発明を実施するための最良の形態】
【００１６】
［第１実施形態］
（通信システムの構成）
以下において、本発明の第１実施形態に係る通信システムについて、図面を参照しながら説明する。図１は、本発明の第１実施形態に係る通信システムの構成を示す図である。
【００１７】
図１に示すように、通信システムは、基地局３０を含む回線交換ＮＷ３００と、基地局４０を含むパケット交換ＮＷ４００と、回線交換ＮＷ３００に接続されたＳＭＳサーバ１００と、パケット交換ＮＷ４００に接続されたグループ通話サーバ２００とを有する。なお、ＳＭＳサーバ１００及びグループ通話サーバ２００は接続されている。
【００１８】
なお、第１実施形態では、基地局３０及び基地局４０が別々の基地局であるものとして説明するが、これに限定されるものではない。具体的には、回線交換ＮＷ３００及びパケット交換ＮＷ４００の両方に含まれる一の基地局が基地局３０及び基地局４０が有する機能を併せ持っていてもよい。
【００１９】
複数の移動局１０（移動局１０ａ〜移動局１０ｄ）は、通信システムに接続可能な携帯電話端末である。具体的には、各移動局１０は、回線交換ＮＷ３００に含まれる基地局３０及びパケット交換ＮＷ４００に含まれる基地局４０と接続可能である。
【００２０】
回線交換ＮＷ３００は、回線交換によって通信が行われるネットワーク（例えば、ｃｄｍａ２０００で用いられる１ｘ網）であり、移動局１０が通信を行う際に移動局１０のアドレス登録が必要とされないネットワークである。一方、パケット交換ＮＷ４００は、パケット交換によって通信が行われるネットワーク（例えば、ｃｄｍａ２０００で用いられるＥＶ−ＤＯ（Ｅｖｏｌｕｔｉｏｎ  Ｄａｔａ  Ｏｐｔｉｍｉｚｅｄ）網）であり、移動局１０が通信を行う際に移動局１０のアドレス登録が必要とされるネットワークである。
【００２１】
また、パケット交換ＮＷ４００では、一の移動局１０（発信側移動局）と、一の移動局１０（発信側移動局）によって指定された他の移動局１０（指定移動局）のうち、発信側移動局からの呼び出しに応答した移動局１０とによってグループ通話が開始される。
【００２２】
なお、以下において、発信側移動局と指定移動局とを含むグループを初期グループと称し、発信側移動局が移動局１０ａであり、指定移動局が移動局１０ｂ〜移動局１０ｄであるものとして説明する。
【００２３】
また、第１実施形態に係るグループ通話では、グループ通話に参加している移動局１０は、グループ通話に参加していない移動局１０をグループ通話に参加させるために、グループ通話に参加していない移動局１０を呼び出すことが可能である。
【００２４】
ここで、グループ通話とは、音声信号のみを通話データとして送受信するＰＴＴ（Ｐｕｓｈ−Ｔｏ−Ｔａｌｋ）や音声信号及び映像信号を通話データとして送受信するＩＰ−ＴＶを含む。また、グループ通話では、グループ通話に参加する移動局１０のいずれかに、通話データを送信する権利である送信権（発言権）が割り当てられる。
【００２５】
ＳＭＳサーバ１００は、上述したように、回線交換ＮＷ３００に接続されており、グループ通話サーバ２００へのアドレス登録を要求するＳＭＳ（登録要求）を指定移動局に送信する。
【００２６】
グループ通話サーバ２００は、グループ通話を管理するサーバである。具体的には、グループ通話サーバ２００は、グループ通話の開始を要求するＩＮＶＩＴＥ（新規）を発信側移動局から受信すると、ＳＭＳ（登録要求）の送信を要求するＳＭＳ（送信要求）をＳＭＳサーバ１００に送信する。続いて、グループ通話サーバ２００は、グループ通話サーバ２００にアドレスが登録された指定移動局にＩＮＶＩＴＥ（新規）を送信する。また、グループ通話サーバ２００は、ＩＮＶＩＴＥ（新規）に応答した指定移動局と発信側移動局との間で通話データが送受信されるグループ通話を開始する。なお、グループ通話サーバ２００の詳細については後述する（図２を参照）。
【００２７】
（グループ通話サーバの構成）
以下において、本発明の第１実施形態に係るグループ通話サーバの構成について、図面を参照しながら説明する。図２は、本発明の第１実施形態に係るグループ通話サーバ２００を示すブロック図である。
【００２８】
図２に示すように、グループ通話サーバ２００は、送受信部（移動局側）２１０と、グループ通話管理ＤＢ２２０と、グループ通話処理部２３０と、離脱メッセージ保持ＤＢ２４０と、送信権取得部２５０と、送受信部（サーバ側）２６０とを有する。
【００２９】
送受信部（移動局側）２１０は、ＳＩＰで規定された各種メッセージ（例えば、ＩＮＶＩＴＥ（新規）、ＩＮＦＯ（参加者通知）、１００Ｔｒｙｉｎｇ、１８０Ｒｉｎｇｉｎｇ、２００ＯＫ、ＡＣＫ、ＢＹＥ）を送受信する。なお、送受信部（移動局側）２１０は、パケット交換ＮＷ４００を通じて、これらの各種メッセージを移動局１０と送受信する。また、送受信部（移動局側）２１０は、送信権が割り当てられた移動局１０から通話データを受信して、送信権が割り当てられていない他の移動局１０に通話データを送信する。
【００３０】
送受信部（移動局側）２１０は、送信権の割当てを要求する送信権割当て要求を移動局１０から受信する。また、送受信部（移動局側）２１０は、送信権が移動局１０に割り当てられた場合には、送信権が割り当てられたことを示す送信権割当て通知をその移動局１０に送信する。
【００３１】
送受信部（移動局側）２１０は、グループ通話に参加している移動局１０から離脱メッセージを受信する。なお、離脱メッセージとは、グループ通話に参加している移動局１０のユーザの音声であって、グループ通話から離脱する旨などの発言（メッセージ）である。また、離脱メッセージは、グループ通話に参加する複数の移動局１０宛てに送信される通話データとは異なり、グループ通話サーバ２００の離脱メッセージ保持ＤＢ２４０宛に記憶用として送信されるメッセージである。なお、離脱メッセージは、所定の符号化方式（例えば、ＩＴＵ−Ｔで規定されたＧ．７２９）で符号化されている。
【００３２】
グループ通話管理ＤＢ２２０は、グループ通話を管理するための情報を記憶するデータベースである。具体的には、グループ通話管理ＤＢ２２０は、図３に示すように、移動局１０を特定する情報（移動局識別子欄）と、移動局１０が初期グループに含まれているか否かを示す情報（初期グループ欄）と、移動局１０がグループ通話に参加しているか否かを示す情報（参加メンバー欄）と、送信権が割り当てられている移動局１０を特定する情報（送信権欄）とを記憶している。
【００３３】
ここで、移動局識別子欄の情報は、移動局１０を特定可能な情報であればよく、移動局１０の識別子、移動局１０の電話番号、移動局１０のＳＩＰアドレス、移動局１０のユーザ名などである。
【００３４】
初期グループ欄には、移動局１０が初期グループに含まれる場合に「○」が記憶され、移動局１０が初期グループに含まれない場合に「×」が記憶される。なお、上述したように、初期グループに含まれない移動局１０であっても、グループ通話に参加している移動局１０から呼び出されれば、グループ通話に途中参加することが可能である。
【００３５】
参加メンバー欄には、移動局１０が現在グループ通話に参加している場合に「○」が記憶され、移動局１０がグループ通話に参加していない場合に「×」が記憶される。
【００３６】
送信権欄には、移動局１０に送信権が割り当てられている場合に「○」が記憶され、移動局１０に送信権が割り当てられていない場合に「×」が記憶される。
【００３７】
グループ通話処理部２３０は、グループ通話を管理する。例えば、グループ通話処理部２３０は、発信側移動局からＩＮＶＩＴＥ（新規）を受信した場合には、ＳＭＳ（登録要求）の送信要求の送信を送受信部（サーバ側）２６０に指示する。
【００３８】
グループ通話処理部２３０は、送信権の割当てを要求する送信権割当て要求を移動局１０から受信した場合に、送信権が他の移動局１０に既に割り当てられているか否かに応じて、送信権割当て要求を送信した移動局１０に送信権を割り当てる。すなわち、グループ通話処理部２３０は、送信権が他の移動局１０に割り当てられていない場合に、送信権割当て要求を送信した移動局１０に送信権を割り当てる。
【００３９】
続いて、グループ通話処理部２３０は、送信権が割り当てられたことを示す送信権割当て通知の送信を送受信部（移動局側）２１０に指示する。なお、送受信部（移動局側）２１０は、送信権が割り当てられた移動局１０に対して送信権割当て通知を送信する。
【００４０】
なお、送信権が有効化される時間は、通話データを送信可能な時間をユーザに対して十分に与え、かつ、通話データを送信する機会を各ユーザに平等に配分するという観点から、送信権制限時間（例えば、３０秒）内に限られる。すなわち、送信権は、送信権制限時間が経過すると、他のユーザに対して自動的に開放される。
【００４１】
また、グループ通話処理部２３０は、離脱メッセージを受信した場合に、離脱メッセージを離脱メッセージ保持ＤＢ２４０に記憶する。続いて、グループ通話処理部２３０は、離脱メッセージを送信した移動局１０に代わって、送信権を取得することを送信権取得部２５０に指示する。
【００４２】
さらに、グループ通話処理部２３０は、送信権取得部２５０によって送信権が取得された場合に、離脱メッセージ保持ＤＢ２４０に記憶された離脱メッセージの再生処理を行う。具体的には、グループ通話処理部２３０は、所定の符号化方式（例えば、ＩＴＵ−Ｔで規定されたＧ．７２９）に従って離脱メッセージを復号するとともに、復号された離脱メッセージの送信を送受信部（移動局側）２１０に指示する。
【００４３】
また、グループ通話処理部２３０は、離脱メッセージ保持ＤＢ２４０に離脱メッセージを記憶している途中で、送信権取得部２５０によって送信権が取得された場合に、離脱メッセージ保持ＤＢ２４０に既に記憶されたデータから順に離脱メッセージの再生処理を行ってもよい。
【００４４】
離脱メッセージ保持ＤＢ２４０は、グループ通話に参加している移動局１０から受信した離脱メッセージを記憶する。
【００４５】
送信権取得部２５０は、グループ通話処理部２３０の指示に応じて、離脱メッセージを送信した移動局１０に代わって送信権を取得する。具体的には、送信権取得部２５０は、移動局１０に割当てられた送信権が開放されるのを待って送信権を取得する。
【００４６】
送受信部（サーバ側）２６０は、グループ通話処理部２３０の指示に応じて、ＳＭＳ（登録要求）の送信要求ＳＭＳサーバ１００に送信する。
【００４７】
（通信システムの動作）
以下において、本発明の第１実施形態に係る通信システムの動作について、図面を参照しながら説明する。図４及び図５は、本発明の第１実施形態に係る通信システムの動作を示すシーケンス図である。なお、図４及び図５では、上述したように、発信側移動局が移動局１０ａであり、指定移動局が移動局１０ｂ〜移動局１０ｄであるものとして説明する。また、図４及び図５では、ＳＩＰで規定された各種処理の一部（例えば、ＩＮＦＯ（参加者通知）、１００Ｔｒｙｉｎｇ、１８０Ｒｉｎｇｉｎｇ、２００ＯＫ、ＡＣＫ、ＢＹＥなどの送受信）については省略されている点に留意すべきである。
【００４８】
図４に示すように、ステップ１０において、移動局１０ａは、グループ通話サーバ２００にアドレス登録（ログイン）を行う。
【００４９】
ステップ１１において、移動局１０ａは、グループ通話を開始するために、ＩＮＶＩＴＥ（新規）をグループ通話サーバ２００に送信する。なお、ＩＮＶＩＴＥ（新規）は、指定移動局（移動局１０ｂ〜移動局１０ｄ）を識別する識別子を含む。
【００５０】
ステップ１２において、グループ通話サーバ２００は、指定移動局に対するＳＭＳ（登録要求）の送信要求をＳＭＳサーバ１００に送信する。
【００５１】
ステップ１３ｂ〜ステップ１３ｄにおいて、ＳＭＳサーバ１００は、各指定移動局にＳＭＳ（登録要求）を送信する。
【００５２】
ステップ１４ｂ〜ステップ１４ｄにおいて、各指定移動局は、グループ通話サーバ２００にアドレス登録（ログイン）を行う。
【００５３】
ステップ１５ｂ〜ステップ１５ｄにおいて、グループ通話サーバ２００は、各指定移動局を呼び出すためのＩＮＶＩＴＥ（新規）を各指定移動局に送信する。
【００５４】
ステップ１６ｂ〜ステップ１６ｄにおいて、移動局１０ｂ〜移動局１０ｄは、ＩＮＶＩＴＥ（新規）に応答する。
【００５５】
ステップ１７において、移動局１０ａ〜移動局１０ｄを参加メンバーとするグループ通話が開始する。
【００５６】
続いて、図５において、ステップ２０において、移動局１０ａ〜移動局１０ｄを参加メンバーとするグループ通話が継続している。なお、送信権は、移動局１０ｄ以外の他の移動局１０に割り当てられている。
【００５７】
ステップ２１において、移動局１０ｄは、ユーザの操作に応じて、グループ通話から離脱する離脱処理を受け付ける。
【００５８】
ステップ２２において、移動局１０ｄは、送信権の割り当てを要求する送信権割り当て要求をグループ通話サーバ２００に送信する。
【００５９】
ステップ２３において、グループ通話サーバ２００は、移動局１０ｄ以外の他の移動局１０に送信権が既に割当てられているため、送信権の割当てが不可であることを示す送信権割当て不可通知を移動局１０ｄに送信する。
【００６０】
ステップ２４において、移動局１０ｄは、離脱メッセージをグループ通話サーバ２００に送信する。なお、離脱メッセージとは、上述したように、移動局１０ｄのユーザの音声であって、グループ通話から離脱する旨などの発言（メッセージ）である。また、離脱メッセージは、グループ通話に参加する複数の移動局１０宛てに送信される通話データとは異なり、グループ通話サーバ２００の離脱メッセージ保持ＤＢ２４０宛てに記憶用として送信されるメッセージである。
【００６１】
ステップ２５において、グループ通話サーバ２００は記憶処理を行う。具体的には、グループ通話サーバ２００は、ステップ２４で受信した離脱メッセージを離脱メッセージ保持ＤＢ２４０に記憶する。
【００６２】
ステップ２６において、移動局１０ｄは、グループ通話サーバ２００へのアドレス登録を解除する。
【００６３】
ステップ２７において、移動局１０ｄは、グループ通話に係るアプリケーションを終了する。
【００６４】
ステップ２８ａ〜ステップ２８ｃにおいて、グループ通話サーバ２００は、グループ通話の参加メンバーが更新されたことを示す（ＩＮＦＯ（参加者更新通知））を移動局１０ａ〜移動局１０ｃに送信する。
【００６５】
ステップ２９において、移動局１０ａ〜移動局１０ｃを参加メンバーとするグループ通話が継続される。
【００６６】
ステップ３０において、グループ通話サーバ２００は、例えば、送信権制限時間が経過することによっていずれかの移動局１０に割当てられた送信権が開放されるのを待って、移動局１０ｄに代わって送信権を取得する。
【００６７】
ステップ３１において、グループ通話サーバ２００は再生処理を行う。具体的には、グループ通話サーバ２００は、離脱メッセージ保持ＤＢ２４０に記憶された離脱メッセージを復号して、復号された離脱メッセージを再生する。
【００６８】
ステップ３２において、グループ通話サーバ２００は、ステップ３１で再生された離脱メッセージをグループ通話に対して送信する。すなわち、グループ通話サーバ２００は、移動局１０ａ〜移動局１０ｃに対して離脱メッセージを通話データとして送信する。
【００６９】
（作用及び効果）
本発明の第１実施形態に係るグループ通話サーバ２００によれば、離脱メッセージ保持ＤＢ２４０が、送信権が割り当てられていない移動局１０から受信した離脱メッセージを記憶するとともに、送信権取得部２５０が、メッセージを送信した移動局１０に代わって送信権を取得する。また、送受信部（移動局側）２１０は、離脱メッセージ保持ＤＢ２４０に記憶された離脱メッセージをグループ通話に対して送信する。すなわち、メッセージを送信した移動局１０のユーザは、送信権を取得しなくても、グループ通話に参加する他のユーザに離脱メッセージを伝えることができ、離脱メッセージを送信した後に直ちにアプリケーションを終了することができる。
【００７０】
従って、グループ通話から離脱する旨などの発言（メッセージ）の送信を容易とするとともに、ユーザの利便性を向上することができる。
【００７１】
［第２実施形態］
以下において、本発明の第２実施形態について説明する。なお、以下においては、上述した第１実施形態との相違点について主として説明する。
【００７２】
具体的には、上述した第１実施形態では、送信権取得部２５０は、移動局１０に割り当てられた送信権が開放されるのを待って送信権を取得する。これに対して、第２実施形態では、送信権取得部２５０は、送信権が割り当てられた移動局１０から離脱メッセージの再生要求（ＩＮＦＯ（再生要求））を受信した場合に、その送信権を開放して送信権を取得する。
【００７３】
（通信システムの動作）
以下において、本発明の第２実施形態に係る通信システムの動作について、図面を参照しながら説明する。図６は、本発明の第２実施形態に係る通信システムの動作を示すシーケンス図である。なお、図６に示すステップ４０〜ステップ４９の処理は、図５に示したステップ２０〜ステップ２９の処理と同様であるため、その説明については省略する。
【００７４】
図６に示すように、ステップ５０において、送信権が割り当てられた移動局１０ａは、離脱メッセージの再生を要求するＩＮＦＯ（再生要求）をグループ通話サーバ２００に送信する。一方で、グループ通話サーバ２００は、移動局１０ａに割り当てられた送信権を直ちに開放して送信権を取得する。
【００７５】
ステップ５１において、グループ通話サーバ２００は再生処理を行う。具体的には、グループ通話サーバ２００は、離脱メッセージ保持ＤＢ２４０に記憶された離脱メッセージを復号して、復号された離脱メッセージを再生する。
【００７６】
ステップ５２において、グループ通話サーバ２００は、ステップ５１で再生された離脱メッセージをグループ通話に対して送信する。すなわち、グループ通話サーバ２００は、移動局１０ａ〜移動局１０ｃに対して離脱メッセージを通話データとして送信する。
【００７７】
（作用及び効果）
本発明の第２実施形態に係るグループ通話サーバ２００によれば、送信権取得部２５０は、送信権が割り当てられた移動局１０から離脱メッセージの再生要求を受信した場合に、その送信権を開放して送信権を取得する。すなわち、送信権取得部２５０は、送信権が割り当てられた移動局１０から要求された場合に、その送信権を直ちに開放して送信権を取得する。
【００７８】
従って、グループ通話サーバ２００は、ユーザの要求に合わせて、離脱メッセージをグループ通話に対して送信することによって、ユーザの利便性がさらに向上する。また、グループ通話サーバ２００は、送信権が割り当てられた移動局１０の要求に応じて、その送信権を開放することによって、ユーザが意図せずに送信権が開放されてしまうことを防止することができる。
【００７９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８０】
例えば、上述した実施形態では、ＳＭＳサーバ１００とグループ通話サーバ２００とが別々なサーバであるものとして説明したが、これに限定されるものではない。具体的には、回線交換ＮＷ３００及びパケット交換ＮＷ４００の両方に接続された一のネットワークサーバが、ＳＭＳサーバ１００の機能及びグループ通話サーバ２００の機能を併せ持っていてもよい。
【００８１】
また、上述した実施形態では、グループ通話サーバ２００は、離脱メッセージ保持ＤＢ２４０に記憶された離脱メッセージを復号して、復号された離脱メッセージを再生するとともに、再生された離脱メッセージをグループ通話に対して送信するが、これに限定されるものではない。具体的には、グループ通話サーバ２００は、離脱メッセージ保持ＤＢ２４０に記憶された離脱メッセージを復号せずにグループ通話に対して送信してもよい。
【００８２】
さらに、上述した実施形態では、グループ通話サーバ２００は、移動局１０によって符号化された離脱メッセージを受信するが、これに限定されるものではない。具体的には、グループ通話サーバ２００は、移動局１０によって符号化されずに送信された離脱メッセージを受信して、受信した離脱メッセージをそのまま離脱メッセージ保持ＤＢ２４０に記憶してもよい。
【００８３】
この場合において、グループ通話サーバ２００は、離脱メッセージ保持ＤＢ２４０に記憶された離脱メッセージを符号化して、符号化された離脱メッセージをグループ通話に対して送信してもよい。
【図面の簡単な説明】
【００８４】
【図１】本発明の第１実施形態に係る通信システムの構成を示す図である。
【図２】本発明の第１実施形態に係るグループ通話サーバ２００の構成を示すブロック図である。
【図３】本発明の第１実施形態に係るグループ通話管理ＤＢ２２０に記憶された情報を示す図である。
【図４】本発明の第１実施形態に係る通信システムの動作を示すシーケンス図である（その１）。
【図５】本発明の第１実施形態に係る通信システムの動作を示すシーケンス図である（その２）。
【図６】本発明の第２実施形態に係る通信システムの動作を示すシーケンス図である。
【符号の説明】
【００８５】
１０・・・移動局、３０・・・基地局、４０・・・基地局、１００・・・ＳＭＳサーバ１００、２００・・・グループ通話サーバ、２１０・・・送受信部（移動局側）、２２０・・・グループ通話管理ＤＢ、２３０・・・グループ通話処理部、２４０・・・離脱メッセージ保持ＤＢ、２５０・・・送信権取得部、２６０・・・送受信部（サーバ側）、３００・・・回線交換ＮＷ、４００・・・パケット交換ＮＷ
【図１】
0004787072.tif 000002
【図２】
0004787072.tif 000003
【図３】
0004787072.tif 000004
【図４】
0004787072.tif 000005
【図５】
0004787072.tif 000006
【図６】
0004787072.tif 000007